(57)【要約】      （修正有）【課題】水平面に対し垂直に立たせることができるカードを提供する。【解決手段】カードは単一の部材から成り、グラフィック画像と文字がプリントされており、特殊な形状に切り取られており、予め折り目０４が付けられており、カードがこのカードが置かれる水平面に対し垂直立ちするようにあるいは斜め立ちするようにこのカードの受取人がカード基部０２を折り曲げることができるように構成されている。【選択図】図１
0003202605.tif 000002
【実用新案登録請求の範囲】
【請求項１】
水平面に垂直立ちするカードであって、
ａ）半剛性の可撓性材料からなる１枚のシートを備え、
ｂ）前記シートは、１）メインディスプレイパネルと、２）二股の基部と、の間でヒンジ部を作るように少なくとも一つの折り目を備え、前記基部が、この基部が置かれる表面に対して前記メインディスプレイパネルを垂直立ちさせるか傾けつつ立たせることができる、カード。
【請求項２】
前記半剛性の可撓性材料が、木質繊維その他の繊維もしくは人工繊維、プラスチック製カード用紙、金属プレート、金属シート、金属箔、３次元印刷プラスチックシートもしくは３次元印刷複合材シート、のうちの少なくとも一つである、請求項１に記載のカード。
【請求項３】
前記半剛性の可撓性材料が、オフセット印刷、デジタルトナー印刷、ゼログラフィー、インクジェット印刷、ＬＥＤ印刷、インク・塗料もしくは染料を使用するシルクスクリーニング、昇華型印刷、写真印刷、箔押し、箔その他のインプリンティング、凸版印刷、デボッシング、エンボッシング、レーザエッチング、レーザインプリンティング、レーザバーニング、ラバーダイスインプリンティング、ハンドインク、ハンドペイント、紫外線コーティング、のうちの少なくとも一つを使用して印刷又はインプリントされる、請求項１に記載のカード。
【請求項４】
前記半剛性の可撓性材料が、手工の折り目付け、手による折り目付け、カッティングプロッタ、電動スコーリング装置、凸版印刷、オフセット印刷におけるダイマトリクス、シリンダー印刷、ロータリーダイカット、ばねダイス、マイクロスリット、レーザエッチング、のうちの少なくとも一つの技術を使用して作られる、請求項１に記載のカード。
【請求項５】
前記半剛性の可撓性材料が、ハンドカット、デジタル等高線カット、カッティングプロッタ、ディンキング、うち抜き型、レタープレス、シリンダープレス、ロタリーダイスカット、ばねダイス、ロタリーマグネティックシリンダーダイスカット、レーザーカット、押し出し加工、のうちの少なくとも一つの技術を使用して作られる、請求項１に記載のカード。
【請求項６】
前記半剛性の可撓性材料が、１ｃｍの大きさから、前記カードが置かれる表面に対して支持されることなく垂直立ちすることが可能な大きさまで、任意の大きさに切断される、請求項１に記載のカード。
【請求項７】
第１の折り目と平行する第２のあるいは付加的な折り目が基部に追加されてフランジ部又は脚部を作る、請求項１に記載のカード。
【請求項８】
前記カードが同じ半剛性材料のより大きなシートに埋め込まれており、前記半剛性材料が予め折り目が付けられているが、前記カード上に印刷されたグラフィックによって表される形状に切り抜かれてはおらず、前記カードの受領者が、前記カードを前記形状に切り抜くのではなく、水平面に対して垂直立ちするように前記カードを打ち抜くことができるように設計されたミシン目がある、請求項１に記載のカード。
【考案の詳細な説明】
【技術分野】
【０００１】
関連出願のクロスリファレンス：本願は、同一の考案者により２０１４年５月２０日に出願された米国仮特許出願第６２０００６７５号の優先権を主張するものである。
【０００２】
連邦支援研究：該当無し。
【０００３】
配列表：該当無し。
【背景技術】
【０００４】
本考案は「水平面に垂直立ちするカード」である。このカードは１枚の材料から成り立ち、グラフィック画像と文字がプリントされている。特殊な形状に切り取り、カードが水平面等に対し垂直立ちするようにカード基部を折り曲げられるようになっている。
【考案の概要】
【考案が解決しようとする課題】
【０００５】
従来の技術
従来の類似品は、Ａ）より複雑で、Ｂ）より高価で、Ｃ）小さな実施形態用に設計されておらず、Ｄ）大量輸送するには困難であり、かつＥ）特定の市場に売り込むように設計されていなかった。
【０００６】
本考案はこれらの課題を解決するものである。
【０００７】
両米国特許「番号：１９４７５２１、１９３４年Ｅｉｎｓｏｎ」「番号：２８１５５９７、１９５７年Ｃａｒｔｅｒ」共にテーブルトップディスプレイを証明した。双方共に製造工程は複雑で、本考案に比べ直立し、製造過程で支え台を要する。双方共に小さな製品の割にディスプレイスペースを要する。本考案は最小１ｃｍ四方単位で製造でき、一般の名刺「サイズ：２インチ×３．５インチ」グリーティングカード「サイズ：約５インチ×８インチ」等に使用できる。当製品は支え台のような付属品無しで立たせることができる。
【０００８】
米国特許「番号：５０１０６６９、１９９１年Ｍｏｒａｎ」の、型抜き画像方式の４つのパネルボックスが垂直立ちディスプレイを可能にできることは確かである。しかし本考案は半分以下の材料で同様サイズのものが製造でき、より大部分をグラフィック化でき、型抜きをする必要も無い。
【０００９】
垂直立ちするようにカード下部を加工した他の単一カード製品も存在する。米国特許「番号：４２４６７１１、１９２０年Ｓａｒｇｅｎｔ」「番号：２６５１８６２、１９５３年Ｆｉｎｅ」等の製品であるが、それぞれ長いボトルネック（ビール瓶の上部のような形状）と牛乳パック上部形状をしている。
【００１０】
米国特許「番号：２５３０９５０、１９５０年Ｂｅｎｃｈｌｅｙ」の両面ディスプレイは数回の折り曲げ、切りこみ、タブ付けが必要としているが本考案ではこれらの複雑作業を要すことは無い。
【００１１】
水平面に対し垂直にカードを立たせる解決策は幾つか見出されている。そして、広告印刷技術も発達してきている。これらの技術によりカードへの画像印刷や表面加工は行われてきているが、慣習的な名刺やポストカード等のフラットな広告印刷等に留まっており、容易にディスプレイできるものに仕上がっておらず市場のニーズを捉えきれていない。これらの殆どは処分もしくはシュレッダーされる。広告というものは継続してディスプレイ・発信されるのが無論望ましい。
【００１２】
従来から使われている名刺、ポストカード、その他広告ディスプレイ等は独自性に欠け、使用されても印象が薄く、殆どは処分されてしまう。これらの理由から、カード広告産業において「水平面に対し垂直立ちするカード」の需要があるということが言える。
【考案の効果】
【００１３】
利点
本考案は従来の技術に比べ幾つかの利点がある。
【００１４】
単純性
本考案製品はカウンター、机上、棚等のいかなる場所においても容易に垂直立ちさせることができ、継続してその広告メッセージを発信させることができる。設置要領は極めて単純で、数秒で設置することができる。
【００１５】
名刺、ラック、カード、その他広告用ディスプレイとして使用され、机、カウンター、棚等いかなる場所でも設置することができる。接着テープ、支え台などの付属品無しで垂直立ちさせることができる。
【００１６】
価格優位性
広告カード、机上ディスプレイ、プロモーション製品を含む競合製品は、通常複数の部品を有し、よって本考案製品に比べ非常に高価である。
【００１７】
本考案は単一部品から成り、近代的材質を使用している。
【００１８】
サイズ優位性
カードサイズの大小は、材質の剛性に依存するところであるが、本考案は小さいものでは１ｃｍ四方形、大きいものでは一般のドアサイズのものまで製造可能である。
【００１９】
カードのディスプレイパネルの高さと基部との比率は広告主のニーズによって調整され、ディスプレイパネル及び基部の形状は、顧客の要求に応じて調整される。
【００２０】
輸送の容易性
机上ディスプレイやプロモーション製品などのフラットではない広告ツールは、重く、大きく、一度に大量の製品を輸送できないことがある。本考案製品はサイズ自由度が高く、一度に何百個の製品を輸送するように調整することもできる。
【００２１】
ターゲット市場
他製品の一時的な広告価値・参考情報の提供などは、継続的に情報発信できるような工夫がなされていないために、どれも同じような効果しか発揮できず、市場のニーズを満たすことはできていないのが現状である。
【００２２】
ブランドマスコット、アイコンキャラクター、俳優、作家、著名人の肖像画などの人気のある画像が広告として使用されていることは間違いない。
【００２３】
本考案の競争優位性は、上述の課題等を解決することができる。カードは無数の二次元形状を作成することができ、上述の人気のある画像をより強調することもできる。
【００２４】
本考案は一般のビジネス広告主、レストラン経営者、ＮＧＯ、スポーツチーム、著名人にとっては非常にユニークなもので、従来の技術では実現できなかったカスタマイズ性をもって新たな価値をもたらすものである。
【００２５】
本考案は他製品に比べ構造的にユニークである。より具体的には、本考案は以下の点でユニークである：
（１）折り目０４が容易かつ正確に折り込め；
（２）基部はメインディスプレイが直立するように設計され；
（３）他社製品と異なりディスプレイ及び／又は基部の形状を自由にカスタマイズできる；
（４）接着材、支え台、組み立て操作ツール等を必要としないシンプルな単一部品からなる。
【００２６】
とりわけ、本考案の目的は、水平面にカードを直立させることができ、なおかつ従来の技術で直面してきた課題を解決するものである。
【００２７】
本考案の更なる目的は、より容易にディスプレイ（表示）することができるデバイス（装置）を作ることである。
【００２８】
本考案の更なる目的は、顧客の要求に応じて、特殊なグラフィック画像を映し出すデバイスを作ることである。
【００２９】
本考案の要約、詳細記述、他特記すべき画像、同伴製図等について下文に詳細記述する。本考案は、しかしながら、多くの異なる形状を具現化するものであるが、具現化される形状・画像については本明細書に記載の実施形態に限るものと解釈するべきではなく、これらの実施形態は、当業者が本考案の内容を完全に理解できるように説明するために例示目的で記載するものである。
【図面の簡単な説明】
【００３０】
【図１】図１（Ａ）および図１（Ｂ）は、ディスプレイパネル０１、三脚台基部下部ディスプレイパネル０２（台形形状）、外側タブ０３（三角形型）、折り目０４を備えるカードを示す。
【図２】図２（Ａ）および２（Ｂ）はディスプレイパネル０２、ボックスインボックス構造の基部、内側ボックスパネル０５、外側ボックスリング０６、折り目０４を備えるカードを示す。
【図３】図３（Ａ）及び３（Ｂ）は、ディスプレイパネル０１、カスタムボックス基部、内側ボックスパネル０５、外側ボックスリング０６、折り目０４を備えるカードを示す。
【図４】図４（Ａ），４（Ｂ），４（Ｃ）は、図１（Ａ），１（Ｂ）の三脚台を備え、水平面に対して垂直立ちしているカードの側面を示す。
【図５】図５（Ａ），５（Ｂ）は、図２（Ａ），２（Ｂ）のボックスインボックス構造を備えるカードであって、水平面に対して垂直立ちしているカードの側面を示す。
【図６】図６（Ａ），６（Ｂ），６（Ｃ）は、図１（Ａ），１（Ｂ）の三脚基部を備えるカードであって、水平面に対して垂直立ちしているカードの上面図を示す。
【図７】図７（Ａ），７（Ｂ）は、図２（Ａ），２（Ｂ）のボックスインボックス構造を備えるカードであって、水平面に垂直立ちしているカードの上面図を示す。
【図８】図８（Ａ），８（Ｂ），８（Ｃ）は、図３（Ａ），３（Ｂ）のカスタムボックス基部を備えるカードであって、水平面に垂直立ちしているカードの上面図を示す。
【図９】図９（Ａ），９（Ｂ）は、図１（Ａ）および１（Ｂ）のカードの変更態様であって、第１の折り目に平行に付加的な第２の折り目（折り目０７）が基部に追加され、フランジ部または脚部を作る実施態様を示す。
【図１０】図１０（Ａ），１０（Ｂ），１０（Ｃ）はカードを立てた時の側面図である。
【図１１】図１１（Ａ），１１（Ｂ），１１（Ｃ）は、折り目０４を図６（Ａ），６（Ｂ），６（Ｃ）のように異なる角度に折り曲げ、付加的な折り目０７が脚部０８を作るカードの上面図を示す。
【考案を実施するための形態】
【００３１】
三脚台形状の実施形態
図１（Ａ）及び１（Ｂ）はディスプレイパネル０１、三脚台基部ディスプレイパネル０２（台形形状）、外側タブ０３（三角形型）、折り目０４を備えるカードを示す。折り目０４は破線で示されている。図１（Ａ）は表側、図１（Ｂ）は裏側を示す。これらの例は平面に広げた際の形状であり、折り曲げた形状や、立っている形状を示してはいない。
【００３２】
ボックスインボックス構造（入れ子式）の実施形態。図２（Ａ）及び２（Ｂ）はディスプレイパネル０２、ボックスインボックス構造の基部、内側ボックスパネル０５、外側ボックスリング０６、折り目０４を備えるカードを示す。折り目０４は破線で示されている。図２（Ａ）は表側、図２（Ｂ）は裏側を示す。これらの例は平面に広げた際の形状であり、折り曲げた形状や、立っている形状を示してはいない。
【００３３】
カスタムボックス形状の実施形態。図３（Ａ）及び３（Ｂ）は、ディスプレイパネル０１、カスタムボックス基部、内側ボックスパネル０５、外側ボックスリング０６、折り目０４を備えるカードを示す。折り目０４は破線で示されている。図３（Ａ）は表側、図３（Ｂ）は裏側を示す。これらの例は平面に広げた際の形状であり、折り曲げた形状や、立っている形状を示してはいない。
【００３４】
図４（Ａ），４（Ｂ），４（Ｃ）は、図１（Ａ），１（Ｂ）の三脚台を備え、水平面に対して垂直立ちしているカードの側面を示す。三脚基部ディスプレイパネル０２と外側タブ０３は、カードの最下部と同じ高さにある。図４（Ａ）は基部が最も高い位置のカードを示し、基部はディスプレイパネル０１から４５度の角度で折り曲げられている。図４（Ｂ）は、中間高さ位置を示し、ディスプレイパネル０１から７５度の角度で折り曲げられている。図４（Ｃ）は基部が最も低い位置にある状態を示し、ディスプレイパネルから垂直に、ディスプレイパネルに対して９０度の角度で折り曲げられており、カードがディスプレイされている表面に対して基部がフラットにある状態である。
【００３５】
図５（Ａ），５（Ｂ）は、図２（Ａ），２（Ｂ）のボックスインボックス構造を備えるカードであって、水平面に対して垂直立ちしているカードの側面を示す。基部０５，０６は、カードの最下部から異なる高さに切り取られている。図５（Ａ）は中間高さ位置を示し、ディスプレイパネルに対して異なる角度で基部を折り曲げ、ディスプレイパネル０１が水平面に対し垂直立ちしている状態である。図５（Ｂ）は基部０５，０６の最も低い位置を示し、ディスプレイパネルから垂直に、ディスプレイパネルに対して９０度の角度で折り曲げられており、カードがディスプレイされている表面に対して基部がフラットにある状態である。
【００３６】
図６（Ａ），６（Ｂ），６（Ｃ）は、図１（Ａ），１（Ｂ）の三脚基部を備えるカードであって、水平面に対して垂直立ちしているカードの上面図を示す。図６（Ａ）は図４（Ａ）の上面図を、図６（Ｂ）は図４（Ｂ）の上面図を、図６（Ｃ）は図４（Ｃ）の上面図を示す。
【００３７】
図７（Ａ），７（Ｂ）は、図２（Ａ），２（Ｂ）のボックスインボックス構造を備えるカードであって、水平面に垂直立ちしているカードの上面図を示す。図７（Ａ）は図５（Ａ）の上面図を、図７（Ｂ）は図５（Ｂ）の上面図を示す。影部分は基部０５を基部０６と逆方向に曲げた場合に、カードに穴の開く部分を示している。
【００３８】
図８（Ａ），８（Ｂ），８（Ｃ）は、図３（Ａ），３（Ｂ）のカスタムボックス基部を備えるカードであって、水平面に垂直立ちしているカードの上面図を示す。影部分は基部０５を基部０６と逆方向に曲げた場合に、カードに穴の開く部分を示している。
【００３９】
図９（Ａ），９（Ｂ），１０（Ａ），１０（Ｂ），１０（Ｃ），１１（Ａ），１１（Ｂ），１１（Ｃ）は、図１（Ａ）及び１（Ｂ）のカードの変更態様であって、第１の折り目に平行に付加的な第２の折り目（折り目０７）が基部に追加され、フランジ部又は脚部を作る実施態様を示す。
【００４０】
図９（Ａ）及び９（Ｂ）はカードを平面に広げたもので、折り曲げた状態、立っている状態を示したものではない。折り目０７が曲げていない状態で示されている。折り目０７は脚部０８を作る。
【００４１】
図１０（Ａ），１０（Ｂ），１０（Ｃ）はカードを立てた時の側面図である。図１０（Ａ）及び１０（Ｂ）は折り目０７が折り曲げてあり、これにより水平面に対してフラットに置かれた脚部０８を作る。図１０（Ｃ）は折り目０７が折り曲げてあり、水平面から少し脚部を上げた状態を示す。
【００４２】
図１１（Ａ），１１（Ｂ），１１（Ｃ）は、折り目０４を図６（Ａ），６（Ｂ），６（Ｃ）のように異なる角度に折り曲げ、付加的な折り目０７が脚部０８を作るカードの上面図を示す。
【符号の説明】
【００４３】
０１    ディスプレイパネル
０２    ディスプレイパネル基部
０３    基部外側タブ
０４    折り目
０５    ボックスインボックス構造の基部内側ボックスパネル
０６    ボックスインボックス構造の基部外側ボックスパネル
０７    任意の折り目
０８    脚部
【図１】
0003202605.tif 000003
【図２】
0003202605.tif 000004
【図３】
0003202605.tif 000005
【図４】
0003202605.tif 000006
【図５】
0003202605.tif 000007
【図６】
0003202605.tif 000008
【図７】
0003202605.tif 000009
【図８】
0003202605.tif 000010
【図９】
0003202605.tif 000011
【図１０】
0003202605.tif 000012
【図１１】
0003202605.tif 000013